(57)【要約】【課題】  シート保持部５１を複数のヒータ５２a、５２bを領域毎に分けて配索することで、バッテリー６１から加熱部５への通電量を減らし、バッテリー容量を減らして、大きさをコンパクトにすることができるヘアーアイロンブラシ２およびカバー付きヘアーアイロンブラシ１を提供する。【解決手段】  バッテリー６１を有する把持部６と、把持部６に連接したブラシ基台４と、バッテリー６１からの通電により発熱する加熱部５とを有するブラシ部３と、を備えるヘアーアイロンブラシ２であって、加熱部５は、シート保持部５１と、シート保持部５１内に固定され又は隣接され、シート保持部５１を複数の領域に分けて配索した複数のヒータ５２a、５２ｂとを有することを特徴とするヘアーアイロンブラシ２。【選択図】図３
2017006676.tif 000002
【特許請求の範囲】
【請求項１】
バッテリーを収容する収容部を有する把持部と、
前記把持部に連接し、多数のブラシ毛を立設させたブラシ基台と、前記多数のブラシ毛の基部を覆うように前記ブラシ基台に固定され、前記バッテリーからの通電により発熱する加熱部とを有するブラシ部と、を備えるヘアーアイロンブラシであって、
前記加熱部は、熱を保持するシート状のシート保持部と、前記シート保持部内に固定され又は前記シート保持部に隣接され、前記シート保持部を複数の領域に分けて配索された複数のヒータとを有することを特徴とするヘアーアイロンブラシ。
【請求項２】
前記加熱部は、さらに、
前記ヒータの発熱温度を検出する温度検出手段を有し、
前記把持部は、さらに、
前記ヒータの発熱温度を設定する温度設定部と、
前記温度検出手段の検出温度が、前記設定温度部で設定された前記発熱温度となるように、前記加熱部への通電を制御する制御部と、を有することを特徴とする請求項１に記載のヘアーアイロンブラシ。
【請求項３】
前記複数の領域は、前記シート保持部の中央領域および外周領域、又は前記シート保持部の幅方向において複数分割した領域であることを特徴とする請求項１又は２に記載のヘアーアイロンブラシ。
【請求項４】
前記制御部は、前記バッテリーから前記加熱部への通電をパルス制御により行うことを特徴とする請求項１乃至３のいずれか１項に記載のヘアーアイロンブラシ。
【請求項５】
前記ブラシ基台の先端側には、前記加熱部への通電を遮断する遮断スイッチが形成されている請求項１乃至４のいずれか１項に記載のヘアーアイロンブラシと、
前記ヘアーアイロンブラシの先端側から挿脱自在に形成され、前記加熱部を覆うとともに、前記施術部に挿入された際に、前記遮断スイッチを動作させるカバー部と、を備えることを特徴とするカバー付きヘアーアイロンブラシ。
【発明の詳細な説明】
【技術分野】
【０００１】
本発明は、髪をウェーブやカールさせるヘアーアイロンブラシおよびカバー付きヘアーアイロンブラシに関する。
【背景技術】
【０００２】
多数のブラシ毛を立設させたブラシ部の表面に加熱部を設け、この加熱部に通電して発熱させることで、髪を梳く際に髪に熱を与えて、髪をウェーブやカールさせるヘアーアイロンブラシがある。ヘアーアイロンブラシには、加熱部へ通電する電力を把持部内に収容した電池や畜電池などのバッテリー（以下、バッテリーと言う）から供給するものがあり、商用電源のコンセントに電源ケーブルを差し込んで使用する必要がないため、携帯性が良好であり、旅行への携帯用やオフィスのデスク引出し内の常備品等として重宝されている。近年、このヘアーアイロンブラシに関して鋭意研究されている。【０００３】
例えば、特許文献１（従来例）には、図１３に示すように、電熱部１５０が形成されたコーム部１００aをヘアーカーラー本体１００の先端寄りに形成し、把持部１００ｄ（ヘアーカーラー本体１００の根元寄りに位置するもの）からコーム部１００aに及ぶ内部空間を電池室１００eとした携帯用ヘアーカーラーが開示されている。この特許文献１の携帯用ヘアーカーラーは、コーム部１００aの内側において電熱部１５０で加熱される部分と電池室１００eとを熱的に隔離する隔壁１００ｆが設けられ、電源供給オフ時に電池室１００eに装填された乾電池から加熱部１５０への両極の配線をオフさせることで、乾電池の温度上昇を防ぎ、乾電池の破裂を防止する。
【先行技術文献】
【特許文献】
【０００４】
【特許文献１】特開３０１０３５０号公報
【発明の概要】
【発明が解決しようとする課題】
【０００５】
しかし、特許文献１に開示された携帯用ヘアーカーラーは、図１３に示すように、金属板の電熱部１５０を加熱するために、電熱部１５０に対して直列接続した複数の乾電池から電力を通電させる必要があり、重量が重くなり、大きさも嵩む問題があった。【０００６】
本発明は、上述した事情に鑑みてなされるものであって、加熱部としてシート保持部を複数の領域に分けて複数のヒータを配索し、ヒータを必要最低限の配置とすることで、バッテリーからヒータに通電される通電量を減らして、バッテリー容量を減らし、重量を軽くして、大きさもコンパクトにすることができるヘアーアイロンブラシおよびカバー付きヘアーアイロンブラシを提供することを目的とする。
【課題を解決するための手段】
【０００７】
上記課題を解決するためになされた請求項１に記載の発明は、バッテリーを収容する収容部を有する把持部と、前記把持部に連接し、多数のブラシ毛を立設させたブラシ基台と、前記多数のブラシ毛の基部を覆うように前記ブラシ基台に固定され、前記バッテリーからの通電により発熱する加熱部とを有するブラシ部と、を備えるヘアーアイロンブラシであって、前記加熱部は、熱を保持するシート状のシート保持部と、前記シート保持部内に固定され又は前記シート保持部に隣接され、前記シート保持部を複数の領域に分けて配索された複数のヒータとを有することを特徴とする。【０００８】
請求項１に記載の発明によれば、加熱部としてシート保持部を複数の領域に分けて複数のヒータを配索して、ヒータを必要最低限の配置とすることで、バッテリーからヒータに通電される通電量を減らして、バッテリー容量を減らし、重量を軽くして、大きさもコンパクトにすることができる。【０００９】
請求項２に記載の発明は、請求項１に記載されたヘアーアイロンブラシであって、前記加熱部は、さらに、前記ヒータの発熱温度を検出する温度検出手段を有し、前記把持部は、さらに、前記ヒータの発熱温度を設定する温度設定部と、前記温度検出手段の検出温度が、前記設定温度部で設定された前記発熱温度となるように、前記加熱部への通電を制御する制御部と、を有することを特徴とする。【００１０】
請求項２に記載の発明によれば、ヒータを所望の設定温度に制御することで、髪をよりカールやウェーブさせやすくすることができる。【００１１】
請求項３に記載の発明は、請求項１又は２に記載されたヘアーアイロンブラシであって、前記複数の領域は、前記シート保持部の中央領域および外周領域、又は前記シート保持部の幅方向において複数分割した領域であることを特徴とする。【００１２】
請求項３に記載の発明によれば、髪のカールやウェーブを踏まえた領域毎に各ヒータを配置することで、バッテリーからの通電をより少なくして、より効率的に髪をカールやウェーブさせることができる。【００１３】
請求項４に記載の発明は、請求項１乃至３のいずれか１項に記載されたヘアーアイロンブラシであって、前記制御部は、前記バッテリーから前記加熱部への通電をパルス制御により行うことを特徴とする。【００１４】
請求項４に記載の発明によれば、バッテリーから加熱部への通電を常時通電させた場合に比べて、加熱部への通電効率を向上させて、加熱部の通電時間をより長くすることができる。【００１５】
請求項５に記載の発明は、前記ブラシ基台の先端側には、前記加熱部への通電を遮断する遮断スイッチが形成されている請求項１乃至４のいずれか１項に記載のヘアーアイロンブラシと、前記ヘアーアイロンブラシの先端側から挿脱自在に形成され、前記加熱部を覆うとともに、前記施術部に挿入された際に、前記遮断スイッチを動作させるカバー部と、を備えることを特徴とする。【００１６】
請求項５に記載の発明によれば、ブラシ基台にカバー部を挿入した場合に、カバー部で、多数のブラシ毛および加熱部を覆い、遮断スイッチを動作させることで、ブラシ毛および加熱部を保護し、かつ加熱部が誤動作することも防止することができる。
【発明の効果】
【００１７】
本発明は、上述した事情に鑑みてなされるものであって、加熱部としてシート保持部を複数の領域に分けて複数のヒータを配索し、ヒータを必要最低限の配置とすることで、バッテリーからヒータに通電される通電量を減らして、バッテリー容量を減らし、重量を軽くして、大きさもコンパクトにすることができるヘアーアイロンブラシおよびカバー付きヘアーアイロンブラシを提供することである。
【図面の簡単な説明】
【００１８】
【図１】第１実施例のカバー付きヘアーアイロンブラシの概略斜視図である。
【図２】図１のＡ−Ａ線で切断した断面図である。
【図３】図１のヘアーアイロンブラシの概略斜視図である。
【図４】図３のヘアーアイロンブラシの正面図である。
【図５】図３のヘアーアイロンブラシの平面図である。
【図６】図４のＢ−Ｂ線で切断した断面図である。
【図７】図３のヘアーアイロンブラシを展開した展開図である。
【図８】図７の加熱部の背面図である。
【図９】（Ａ）は第１実施例の制御部による外周面状ヒータおよび中央面状ヒータへ同じタイミングで通電させるパルス制御動作を示す概略説明図であり、（Ｂ）は第１実施例の制御部による外周面状ヒータおよび中央面状ヒータへ別々のタイミングで通電させるパルス制御動作を示す概略説明図である。
【図１０】図１に示すヘアーアイロンブラシの組み付け作業を示す作業フローチャートである。
【図１１】図１に示すヘアーアイロンブラシの発熱動作を示す制御フローチャートである。
【図１２】第２実施例のヘアーアイロンブラシの正面図である。
【図１３】従来例を示す携帯用ヘアーカーラーの分解断面図である。
【発明を実施するための形態】
【００１９】
（第一実施例）
以下、図面を参照して、本発明の第１実施例に係るカバー付きヘアーアイロンブラシ１について説明する。
【００２０】
図１は第１実施例のカバー付きヘアーアイロンブラシ１の概略斜視図であり、図２は図１のＡ−Ａ線で切断した断面図であり、図３は図１のヘアーアイロンブラシ２の概略斜視図であり、図４は図３のヘアーアイロンブラシ２の正面図であり、図５は図３のヘアーアイロンブラシ２の平面図であり、図６は図４のＢ−Ｂ線で切断した断面図であり、図７は図３のヘアーアイロンブラシ２を展開した展開図であり、図８は図７の加熱部５の背面図であり、図９における（Ａ）は第１実施例の制御部６５による外周面状ヒータ５２aおよび中央面状ヒータ５２ｂへ同じタイミングで通電させるパルス制御動作を示す概略説明図であり、（Ｂ）は第１実施例の制御部６５による外周面状ヒータ５２aおよび中央面状ヒータ５２ｂへ別々のタイミングで通電させるパルス制御動作を示す概略説明図である。
なお、カバー付きヘアーアイロンブラシ１の幅方向をＸ軸、カバー付きヘアーアイロンブラシ１の厚み方向をＹ軸、カバー付きヘアーアイロンブラシ１の長手方向をＺ軸とする。
【００２１】
図１および２に示すように、引用符号１は、本実施例のカバー付きヘアーアイロンブラシである。カバー付きヘアーアイロンブラシ１は、ヘアーアイロンブラシ２と、ヘアーアイロンブラシ２の先端側を覆うカバー部７と、を備える。
【００２２】
図１および２に示すように、カバー部７は、例えば樹脂材料などからなり、カップ形状をしており、ヘアーアイロンブラシ２の先端側から挿脱自在に形成されている。カバー部７の閉塞端部の内側には、後述の遮断スイッチ４１aを押圧する押圧突起７１が形成されている。
【００２３】
図３乃至６に示すように、本実施例のヘアーアイロンブラシ２は、熱を与えながら髪を梳かすブラシ部３と、ブラシ部３に連接し、施術者が把持する把持部６と、を備える。
【００２４】
図３乃至６に示すように、ブラシ部３は、把持部６に連接し、髪を梳かす多数のブラシ毛４２ｂ、４３a、４３ｂ、４４a、４４ｂが立設されたブラシ基台４と、多数のブラシ毛４２ｂ、４３a、４３ｂ、４４a、４４ｂの基部を覆うようにブラシ基台４に固定され、髪に熱を与える加熱部５と、を有する。
【００２５】
図７に示すように、ブラシ基台４は、把持部６に連接し、上下端部を円弧状に湾曲させ、中央を窪ませたブラシ基台本体４１と、ブラシ基台本体４１の窪みを覆うようにブラシ基台本体４１の上下端部に固定される基台カバー部４２と、基台カバー部４２の表側に固定され、多数のブラシ毛４３a、４３ｂを立設させたブラシベース部４３と、基台カバー部４２に固定され、異なる種類のブラシ毛４４a、４４ｂを組み合わせたブラシ毛組体４４と、を有する。
【００２６】
図２および６に示すように、ブラシ基台本体４１の先端側には、押圧突起７１で押圧され、加熱部５への通電を遮断する遮断スイッチ４１aが設けられている。ブラシ基台本体４１は、例えば樹脂材料などからなる。このブラシ基台本体４１の裏面側は、図５に示すように内側に凹んだ形状をしており、ブラシ基台本体４１を回した際に、ブラシ基台本体４１に頭皮が当たらないように形成されている。
【００２７】
図７に示すように、基台カバー部４２の表側には、円弧状に湾曲し、加熱部５からの熱を反射する（加熱部５の熱の透過を禁止する）湾曲反射板４２a（反射板）が固定されている。基台カバー部４２の両側端部には、互いに離間するように延びる多数のブラシ毛４２ｂが形成されている。基台カバー部４２は、例えば樹脂材料などからなり、湾曲反射板４２aは、反射面が鏡面加工され、鏡面効果による輻射効果が高くなるように形成されており、材料は例えばアルミなどからなる。ブラシ毛４２ｂは、髪をつかむ機能を有し、この先端には髪を引掛けて抜けにくくする先球部４５が形成されている。
【００２８】
なお、湾曲反射板４２aの裏面側に断熱手段（不図示）を位置させても良い。この構成により、加熱部５からの伝熱を抑制し、シート保持部５１の方へ加熱部５の熱を集中させることができる。
【００２９】
図７に示すように、ブラシベース部４３は、多数のブラシ毛４３a、４３ｂをブラシ部３の長手方向（Ｚ軸方向）に立設し、これを幅方向（Ｘ軸方向）に複数並べたものである。幅方向における多数のブラシ毛４３aの間には、ブラシ毛組体４４を挿通し、縦長に延びる長孔４３ｃが形成されている。ブラシベース部４３およびブラシ毛４３a、４３ｂは、例えば樹脂材料などからなる。ブラシ毛４３aは、髪を梳かす機能を有し、この先端には髪を引掛けて抜けにくくする先球部４５が形成されている。ブラシ毛４３ｂは、髪を梳かす機能の他に頭皮を刺激する機能を有し、ブラシ毛４３aよりも太い径で形成されており、頭皮を刺激する際にブラシ毛４３ｂが倒れないように形成されている。
【００３０】
図７に示すように、ブラシ毛組体４４は、例えば樹脂材料などからなるブラシ毛４４aと、例えばナイロン（ポリアミド合成繊維）毛ブラシや豚毛ブラシなどの異なる材料のブラシ毛４４ｂとを組み合わせたものである。ブラシ毛４４aは髪を梳かす機能を有し、この先端には髪を引掛けて抜けにくくする先球部４５が形成されている。ブラシ毛４４ｂは髪をつかむ機能を有し、ブラシ毛４４aよりも短い長さであり、かつブラシ毛４４aに比べて間隔が広く形成されている。このように、異なる材料のブラシ毛４４a、４４ｂを組み合わせることで、滑らかな感触で髪を梳かすことができる。
【００３１】
図３および７に示すように、加熱部５は、湾曲反射板４２aを覆うようにブラシベース部４３で固定され、後述のバッテリー６１からの通電により発熱するものである。加熱部５は、図８に示すように、シート保持部５１に面状ヒータ５２（ヒータ）を一体成型したものであり、例えば２重成型により一体成型したものなどである。面状ヒータ５２は、シート保持部５１の裏面側に密着されている。
【００３２】
シート保持部５１は、熱を保持するシート状のものであり、熱伝導率が低く熱が逃げにくい材料であるシリコーンなどのゴム材料からなる。シート保持部５１には、ブラシ毛４３a、４３ｂを挿通する多数の挿通孔５１aが形成されており、面状ヒータ５２および挿通孔５１aの形成位置を避けて、縦長の長孔５１ｂも形成されている。この長孔５１ｂは、ブラシ毛組体４４が挿通可能な大きさで形成されている。
【００３３】
面状ヒータ５２は、例えばポリエーテルイミドで絶縁されたフィルムヒータなどであり、後述のバッテリー６１からの通電で発熱するものである。面状ヒータ５２は、厚みが例えば約０．３ｍｍと薄く、幅が１．０ｍｍ〜２．０ｍｍと細い線状の導電路をシート保持部５１の外周領域および中央領域に分けて配索したものである。面状ヒータ５２は、厚みを薄く幅も細い線状の導電路を配索することで、面状ヒータ５２に通電する電力を極力少なくして、バッテリー容量が少ない後述のバッテリー６１でも加熱部５の発熱温度を１６０℃まで上昇させることができる。面状ヒータ５２は、屈曲可能であり、引っ張り、曲げ、摩耗に優れた耐久性に優れたものである。
【００３４】
この面状ヒータ５２には、面状ヒータ５２の発熱温度を検出する温度検出部（温度検出手段）５３が一体成型されている。温度検出部５３は、例えばＮＴＣサーミスタなどの温度上昇に伴う抵抗値の減少を利用して温度を検出するものである。
【００３５】
図８に示すように、面状ヒータ５２は、シート保持部５１の外周領域に配索された外周面状ヒータ５２a（ヒータ）と、シート保持部５１の中央領域のみに配索された中央面状ヒータ５２b（ヒータ）とで構成されている。中央面状ヒータ５２ｂは、外周面状ヒータ５２aよりも高い温度で発熱するように制御されており、加熱部５の中央から外周に向かって、徐々に温度を下げて、髪に熱を与え、髪をよりカールやウェーブさせやすくするように形成されている。
【００３６】
外周面状ヒータ５２aと中央面状ヒータ５２bとで構成する場合には、温度検出部５３を中央面状ヒータ５２bのみに一体成型するものとしても良い。中央面状ヒータ５２ｂは外周面状ヒータ５２aに比べて高い発熱温度で制御されているため、この高い中央面状ヒータ５２ｂの発熱温度のみを検出すれば、面状ヒータ５２の発熱面が必要以上に高くなり、髪が傷むことを防止することができる。また、この構成により、外周面状ヒータ５２aと中央面状ヒータ５２ｂのそれぞれに温度検出部５３を設ける必要がないため、加熱部５を製造する製造コストも低減することができる。
【００３７】
図３、４および６に示すように、把持部６は、例えば樹脂材料などからなり、施術者が握りやすいように略円筒形状で形成されている。把持部６は、バッテリー６１と、バッテリー６１を収容する収容部６２とを有する。また、把持部６は、加熱部５の動作状態を表示する表示部６３と、施術者の操作入力を受付け、加熱部５の発熱温度を設定する操作部６４（温度設定部）と、操作部６４の設定温度および温度検出部５３の検出温度に応じて、加熱部５の発熱温度および表示部６３の表示状態を制御する制御部６５と、を有する。
【００３８】
把持部６の裏面側には、収容部６２内にバッテリー６１を収容可能とするために取外し可能な蓋部６２aが形成されている。
【００３９】
バッテリー６１は、例えば、リチウムイオン電池、ニッケル・カドミウム電池、ニッケル水素電池、鉛電池などの畜電池や、アルカリ電池、マンガン電池、ニッケル電池などの電池などである。このバッテリー６１は、少なくともバッテリー容量を３．６Ｖ、２９００ｍＡｈとするものである。
【００４０】
表示部６３は、把持部６の表側に形成されており、例えばＬＥＤ、パネルＬＥＤなどである。表示部６３は、加熱部５の動作中に点灯するように形成されている。この表示部６３の点灯は、例えば、操作部６４で設定される設定温度に応じて、点灯色を変えるようにしても良い。
【００４１】
操作部６４は、把持部６の表側に形成されており、加熱部５の設定温度を多段階（例えば、９０℃、１４０℃、１６０℃）に設定可能に形成されている。操作部６４は、施術者からの操作入力に基づいて、設定温度を設定し、この設定温度情報を制御部６５へ送信する。また、操作部６４は、施術者の操作入力に基づいて、電源のオン、オフ情報を制御部６５へ送信する。
【００４２】
図６に示すように、制御部６５は、例えばCPU（Central Processing Unit）などを搭載した制御基板などであり、加熱部５、バッテリー６１、表示部６３および操作部６４などと電気的に接続されている。制御部６５は、操作部６４の設定温度および温度検出部５３の検出温度に応じて、表示部６３の点灯を制御するとともに、バッテリー６１から加熱部５への通電動作を制御する。
【００４３】
ここで、制御部６５は、バッテリー６１から加熱部５への通電動作を、パルス制御により行うと良い。すなわち、制御部６５は、バッテリー６１から加熱部５（外周面状ヒータ５２aおよび中央面状ヒータ５２ｂ）への通電動作を、例えば、図９（Ａ）に示すような、１ミリ秒間とする１周期あたりのデューティ比を５０％とし、５．８Ａの電流をオンオフさせる同じタイミングのパルス制御で行うと良い。
【００４４】
次に、このパルス制御の効果について説明する。出願人は、この効果を立証する上で、動作時間の確認試験および発熱温度の確認試験を行った。これらの確認試験で用いたバッテリー６１は、バッテリー容量を３．６Ｖ、２，９００ｍＡｈとするポータブル機器用リチウム電池を満充電させたものとした。
【００４５】
＜動作時間の確認試験＞
動作時間の確認試験では、満充電させたバッテリー６１の放電時間を、２．９Ａの電流で常時放電させた場合（常時放電）と、１ミリ秒間に５．８Ａの電流のオンオフを繰り返す放電とさせたパルス制御の場合（パルス制御）とで計測した。その結果を表１に示す。
【００４６】
表１  動作時間の確認試験結果
2017006676.tif 000003
【００４７】
表１から分かるように、パルス制御を行った場合（パルス制御）では、常時放電の場合と比べて、バッテリー６１の放電時間が約１．２倍に延びることが確認できた。
【００４８】
＜発熱温度の確認試験＞
発熱温度の確認試験では、本実施例のヘアーアイロンブラシ２において、常時通電した場合（常時通電）と、１ミリ秒間にオンオフを繰り返す通電とするパルス制御の場合（パルス制御）とにおいて、加熱部５の最大発熱温度および動作時間を計測した。その結果を表２に示す。
【００４９】
表２  発熱温度の確認試験結果
2017006676.tif 000004
【００５０】
表２から分かるように、加熱部５の最大発熱温度に関しては、常時通電およびパルス制御の場合ともに１６０℃〜２００℃まで上昇した。しかし、加熱部５の動作時間に関しては、常時通電した場合には２０分であるのに対して、パルス制御をした場合には３５分まで延びることが確認できた。
【００５１】
すなわち、パルス制御を行った場合は、加熱部５の発熱温度を常時通電した場合とほぼ同等の温度まで上昇できるにも関わらず、加熱部５の動作時間を、常時通電した場合の１．７５倍まで長くできることが確認できた。
【００５２】
上記確認試験の結果から明らかなように、制御部６５が、バッテリー６１から加熱部５への通電をパルス制御により行うことで、常時通電する場合に比べて、バッテリー容量の減少を抑え、動作時間をより長くすることができる。
【００５３】
また、制御部６５がバッテリー６１から加熱部５への通電動作を行う際に、外周面状ヒータ５２aと中央面状ヒータ５２ｂとのパルス制御を位相をずらして行っても良い。
【００５４】
具体的には、図９（ｂ）に示すように、制御部６５は、バッテリー６１から外周面状ヒータ５２aおよび中央面状ヒータ５２ｂへの通電動作に関して、５．８Ａの電流を一周期あたり1ミリ秒でオンオフさせるパルス制御とし、外周面状ヒータ５２aおよび中央面状ヒータ５２ｂのパルス制御の位相をずらして行うと良い。すなわち、制御部６５は、バッテリー６１から外周面状ヒータ５２aへの通電動作を図９（ｂ）の上段に示すようなタイミングとし、バッテリー６１から中央面状ヒータ５２ｂへの通電動作を図９（ｂ）の下段に示すようなタイミング（外周面状ヒータ５２aから位相がずれたタイミング）とすると良い。
【００５５】
このようにバッテリー６１から外周面状ヒータ５２aおよび中央面状ヒータ５２ｂの通電を位相をずらしたパルス制御により行うことで、シート保持部５１への供給熱量が過剰となることを防ぎ、バッテリー６１の消費電力を抑え、バッテリー６１の容量もより少なくすることができる。
【００５６】
また、シート保持部５１に対して十分な熱量を与えた状態として、シート保持部５１を髪のカールやウェーブさせるための十分な温度に保持させることができる。
【００５７】
本実施例のヘアーアイロンブラシ２は、厚みの薄い導電路で形成された面状ヒータ５２を発熱させ、かつ長孔５１ｂにより発熱面となるシート保持部５１の面積を必要最低限の大きさとすることで、少ないバッテリー容量とするバッテリー６１からの通電においても、加熱部５の発熱温度を１６０℃まで上昇させることができる。
【００５８】
これにより、本実施例のヘアーアイロンブラシ２は、バッテリー６１のバッテリー容量を少なくしても十分な加熱部５の発熱温度を確保することができるため、バッテリー６１の大きさをコンパクトにし、バッテリー６１の重量も軽くすることができる。すなわち、本実施例のヘアーアイロンブラシ２は、バッテリー６１をコンパクトかつ軽量化することで、ヘアーアイロンブラシ２全体もコンパクトかつ軽量化し、ヘアーアイロンブラシ２の携帯性を向上させることができる。
【００５９】
本実施例のヘアーアイロンブラシ２は、外周面状ヒータ５２aおよび中央面状ヒータ５２bを、複数カ所に分けてシート保持部５１に配索することで、加熱部５からの熱を髪にむらなく与え、施術者の意図する髪のカールやウェーブを形成することができる。
【００６０】
本実施例のヘアーアイロンブラシ２は、少ないバッテリー容量とするバッテリー６１でもパルス制御により動作時間を３０分以上まで延ばすことができるため、一般的に髪をカールさせる際に必要な時間である１５分を十分に確保することができる。
【００６１】
本実施例のヘアーアイロンブラシ２は、両側端部に多数のブラシ毛４２ｂを立設させた基台カバー部４２と、多数のブラシ毛４３a、４３ｂを立設させたブラシベース部４３と、異なる種類のブラシ毛４４a、４４ｂを組み合わせたブラシ毛組体４４と、を一体的に組み合わせることで、ブラシ毛を約１８０°以上の範囲で立設させて、ブラシ毛４２ｂ、４３a、４３ｂ、４４a、４４ｂで円滑に髪を梳かすことができる。
【００６２】
また、本実施例のカバー付きヘアーアイロンブラシ１は、カバー部７をブラシ基台４に挿入することで、多数のブラシ毛４３a、４３ｂおよび加熱部５を覆って保護するとともに、押圧突起７１で遮断スイッチ４１aを動作させることで、加熱部５の誤動作を防止することができる。
【００６３】
さらに、本実施例では、遮断スイッチ４１aは、機械式スイッチによる直接的に回路を遮断するものを使用しているが、これに限定されるものではなく、制御部６５により間接的に回路を遮断するもの、例えばMCUによる判断を加えた上で遮断させる方法としてよい。
【００６４】
次に、本実施例のヘアーアイロンブラシ２の組み付け作業について説明する。初期条件として、収容部６２内にはバッテリー６１が収容されており、基台カバー部４２には湾曲反射板４２aが固定されているものとする。また、ブラシベース部４３には多数のブラシ毛４３a、４３ｂが立設されており、ブラシ毛組体４４にも複数種類のブラシ毛４４a、４４ｂが組み合わされたものとする。
【００６５】
図１０は、図１に示すヘアーアイロンブラシ２の組み付け作業を示す作業フローチャートである。
【００６６】
図１０に示すように、作業者は、基台カバー部４２の表側にブラシベース部４３を固定する（ＳＴＥＰ１１、１２）。基台カバー部４２とブラシベース部４３を固定すると、作業者は、ブラシベース部４３に立設された多数のブラシ毛４３a、４３ｂを挿通孔５１aに挿通させながら、加熱部５をブラシベース部４３の表面を覆うように固定する（ＳＴＥＰ１３）。
【００６７】
加熱部５をブラシベース部４３に固定した後は、作業者は、長孔４３ｃ、５１ｂにブラシ毛組体４４を挿通させて、基台カバー部４２にブラシ毛組体４４を固定する（ＳＴＥＰ１４）。
【００６８】
そして、作業者は、ブラシ毛組体４４、加熱部５およびブラシベース部４３が一体的に固定された基台カバー部４２で、ブラシ基台本体４１の窪みを覆うように固定し（ＳＴＥＰ１５）、ヘアーアイロンブラシ２の組み付け作業を終了する（ＳＴＥＰ１６）。
【００６９】
この際、加熱部５におけるシート保持部５１の外周縁を、ブラシ基台本体４１に嵌め込んで固定する。このように固定することで、施術者が髪を梳かす際にブラシ部３の表側に位置するシート保持部５１が浮き上がることを防止することができる。
【００７０】
本実施例のヘアーアイロンブラシ２は、ブラシ部３として、ブラシ毛組体４４、加熱部５、ブラシベース部４３、基台カバー部４２およびブラシ基台本体４１と、わずか５つの部品で構成することで、組み付け作業を簡素化することができる。
【００７１】
本実施例のヘアーアイロンブラシ２は、加熱部５の表側に熱伝導性の低いシート保持部５１を位置させることで、髪に過剰な熱が加わることを防止することができる。
【００７２】
本実施例のヘアーアイロンブラシ２は、加熱部５として保温性に優れたシート保持部５１に面状ヒータ５２を一体成型し、かつ面状ヒータ５２をシート保持部５１と湾曲反射板４２aで挟むように位置させることで、面状ヒータ５２から発熱する熱量を効率良くシート保持部５１に蓄熱させて、バッテリー６１から加熱部５への通電量を減らすことで、バッテリー容量を減らし、重量を軽くして、大きさもコンパクトにすることができる。
【００７３】
特に、フィルムヒータとシリコーンとを２重成型したものを加熱部５とすることで、バッテリー６１として容量３．６Ｖ、２９００ｍＡｈの単三電池一本としても、加熱部５の発熱温度を１６０℃まで上昇させることができる。
【００７４】
また、本実施例のヘアーアイロンブラシ２は、湾曲反射板４２aの裏面側において、空間または断熱機能を有した断熱手段（不図示）を形成することで、湾曲反射板４２aの裏面側へ放射される伝熱（例えば、熱伝導、対流熱伝達、熱輻射などの熱）を抑制し、より湾曲反射板４２aの表側に位置するシート保持部５１の方向へ加熱部５の熱を集中させることができる。
【００７５】
さらに、湾曲反射板４２aの表面側において、ブラシベース部４３との間に断熱機能を有した断熱手段（不図示）を形成することで、加熱部５から湾曲反射板４２aの表面側への伝熱を抑制し、シート保持部５１の方向へ加熱部５の熱を集中させることができる。
【００７６】
次に、本実施例のカバー付きヘアーアイロンブラシ１の発熱動作について説明する。初期条件として、カバー部７がヘアーアイロンブラシ２から外れているものとする。
【００７７】
図１１は図１に示すヘアーアイロンブラシ２の発熱動作を示す制御フローチャートである。
【００７８】
図１１に示すように、制御部６５は、施術者が操作部６４を操作して、操作部６４から電源のオン情報を取得した否かを判定する（ＳＴＥＰ２１、２２）。施術者が操作部６４を操作すると、電源のオン情報を取得し（ＳＴＥＰ２２ＹＥＳ）、制御部６５は、遮断スイッチ４１aがオフされているか否かを判定する（ＳＴＥＰ２３）。
【００７９】
より具体的には、カバー部７がヘアーアイロンブラシ２の先端から外れており、押圧突起７１で遮断スイッチ４１aが押圧されていない場合には（図３、６）、制御部６５は、遮断スイッチ４１aがオフされていると判定する（ＳＴＥＰ２３ＹＥＳ）。
【００８０】
一方、カバー部７がヘアーアイロンブラシ２の先端を覆うように挿入されている場合（図１、２）には、制御部６５は、遮断スイッチ４１aがオンされていると判定し（ＳＴＥＰ２３ＮＯ）、再度遮断スイッチ４１aがオフされているか否かを判定する（ＳＴＥＰ２３）。
【００８１】
制御部６５が遮断スイッチもオフされていると判定すると（ＳＴＥＰ２３ＹＥＳ）、制御部６５は、操作部６４で設定された設定温度情報を取得し、表示部６３を点灯させる（ＳＴＥＰ２４）。制御部６５は、温度検出部５３からも検出温度情報を取得し（ＳＴＥＰ２５）、検出温度が設定温度以上か否かを判定する（ＳＴＥＰ２６）。
【００８２】
施術者による操作部６４の操作がない場合には、制御部６５は、電源のオン情報がないと判定して（ＳＴＥＰ２２ＮＯ）、再度電源のオン情報があるか否かを判定する（ＳＴＥＰ２２）。
【００８３】
制御部６５が、検出温度が設定温度よりも低いと判定した場合には（ＳＴＥＰ２６ＮＯ）、バッテリー６１から加熱部５（面状ヒータ５２）に通電する（ＳＴＥＰ２７）。制御部６５は、再度温度検出部５３の検出温度情報を取得し（ＳＴＥＰ２５）、検出温度が設定温度以上か否かを再度判定する（ＳＴＥＰ２６）。
【００８４】
制御部６５は、検出温度が設定温度以上と判定した場合には（ＳＴＥＰ２６ＹＥＳ）、制御部６５は、バッテリー６１から加熱部５への通電を停止させて（ＳＴＥＰ２８）、操作部６４から電源のオフ情報を取得したか否かを判定する（ＳＴＥＰ２９）。施術者がヘアーアイロンブラシ２を引き続き使用している場合には、操作部６４から電源のオフ情報の取得がないため、制御部６５は、操作部６４で電源オフの入力がなされていないと判定し（ＳＴＥＰ２９ＮＯ）、再度温度検出部５３において検出温度情報を取得し、検出温度が設定温度以上か否かを判定する（ＳＴＥＰ２５、２６）。
【００８５】
施術者が操作部６４を操作して電源オフにすると、制御部６５は、操作部６４から電源のオフ情報を取得し（ＳＴＥＰ３０ＹＥＳ）、表示部６３を消灯させ、ヘアーアイロンブラシ２の発熱動作を終了する（ＳＴＥＰ３０、３１）。
【００８６】
本実施例のヘアーアイロンブラシ２は、施術者の操作に合わせて所望の温度に加熱部５を発熱させることができるため、施術者の意図に合わせて髪のカールやウェーブを形成することができる。
【００８７】
また、本実施例のヘアーアイロンブラシ２は、操作部６４において多段階の発熱温度（例えば、９０℃、１４０℃、１６０℃）を設定可能に形成することで、施術者の意図に合わせて、加熱部５の発熱温度を多段階に切り替えることができ、施術者の意図に合わせて、髪に熱を与えることができる。
【００８８】
次に、本実施例のヘアーアイロンブラシ２で髪を施術する際の各ブラシ毛４２ｂ、４３a、４３ｂ、４４a、４４ｂの動作および効果について説明する。ヘアーアイロンブラシ２には、主に、髪を梳かすブラッシングと、髪をカールやウェーブさせるカーリングの２つの使用形態があるため、各使用形態に分けて説明する。
【００８９】
ブラッシングの使用形態では、主に髪はブラシ毛４３a、４３ｂ、４４a、４４ｂで梳かされ、カーリングの使用形態では、主に髪はブラシ毛４２ｂ、４３a、４３ｂ、４４a、４４ｂで梳かされる。また、ブラッシングおよびカーリングの各使用形態ともに、施術者が操作部６４を操作して加熱部５を発熱させた状態とする。
【００９０】
（ブラッシングの使用形態）
施術者は、ヘアーアイロンブラシ２のブラシ毛４３a（図５中の左側）を最初に髪に当てて髪を梳かす。髪は、ブラシ毛４３a、ブラシ毛４４a（図５の中央左側）、ブラシ毛４３ｂで順に梳かされる。ブラシ毛４３ｂで髪を梳かす際には、ブラシ毛４３ｂが頭皮に当り、頭皮を刺激し、髪が完全にブラシ毛４３ｂを通過するまで頭皮を刺激し続ける。
【００９１】
髪がブラシ毛４３ｂで梳かされると、ブラシ毛４３a（図５の中央右側）を通り、ブラシ毛４４ｂで梳かされる。髪がブラシ毛４４ｂで梳かされると、ブラシ毛４４ｂが髪をつかみシート保持部５１へ引き寄せて、髪をシート保持部５１に接触させて、髪に熱を与える。
【００９２】
髪に熱が加わると、髪につやが生じる。シート保持部５１に接触した髪は、ブラシ毛４３a（図５の右端側）でさらに梳かされて、ブラッシングが終了する。
【００９３】
本実施例のヘアーアイロンブラシ２は、髪に熱を与えながら、多数のブラシ毛４３a、４３ｂ、４４a、４４ｂで梳かすことで、髪につやを与えながら髪を十分に梳かすことができる。
【００９４】
また、本実施例のヘアーアイロンブラシ２は、髪をつかむブラシ毛４４ｂが短くかつ間隔（Ｚ軸方向の間隔）を広く形成することで、髪を効率良くシート保持部５１（加熱部５の熱を保持するもの）へ近づけて、髪に熱を与えることができる。
【００９５】
（カーリングの使用形態）
施術者は、ヘアーアイロンブラシ２の側端を最初に髪に当てて梳かす。髪はブラシ毛４２ｂでつかまれ、ブラシ毛４３a（図５の左端側）、ブラシ毛４４aで順に梳かされる。ブラシ毛４４aで梳かされると、ブラシ毛４４ｂでつかまれ、シート保持部５１の方へ引き寄せられて、髪に熱が与えられる。
【００９６】
シート保持部５１で髪に熱が加えられると、ブラシ毛４３a（図５の中央左側）、４３ｂ、４３a（図５の中央右側）で髪が梳かされ、ブラシ毛４４ｂで再度髪がつかまれる。髪がブラシ毛４４ｂでつかまれると、シート保持部５１の方へ引き寄せられて、髪に熱が与えられる。髪に熱が加えられた後に、髪はブラシ毛４３a、４２ｂで順に梳かされ、カーリングが終了する。
【００９７】
本実施例のヘアーアイロンブラシ２は、シート保持部５１により十分に髪を熱した後に、ブラシ毛４３a、４３ｂ、４４aで梳かしながら冷やすことで、容易に髪の形状が形づくり、カールやウェーブを形成することができる。
【００９８】
また、本実施例のヘアーアイロンブラシ２は、図５に示すようにブラシ毛４２ｂ、４３a、４４a、４４ｂ、４３a、４３ｂを１８０°以上の領域で立設することで、ブラシ毛４２ｂ、４３a、４４a、４４ｂ、４３a、４３ｂで簡単に髪を梳かすことができる。
【００９９】
さらに、本実施例のヘアーアイロンブラシ２は、図５に示すように、ブラシ毛４２ｂ、４３a、４４a、４４ｂ、４３a、４３ｂを形成したヘアーアイロンブラシ２の表面を緩いカーブの半円弧状で形成することで、髪をヘアーアイロンブラシ２の表面に当接しやすくし、シート保持部５１の熱を髪に与えやすくすることができる。
【０１００】
（第２実施例）
第２実施例のヘアーアイロンブラシ２’は、第１実施例のブラシ部３および加熱部５の構成のみが異なるため、異なる構成のみを説明し、同一の構成に関しては同一符号を付し、ここでの説明を省略する。
【０１０１】
図１２は、第２実施例のヘアーアイロンブラシ２’の正面図である。
【０１０２】
図１２に示すように、ブラシ部３’は、把持部６に連接し、髪を梳かす多数のブラシ毛４３a’、４３ｂ’が立設されたブラシ基台４’と、多数のブラシ毛４３a’、４３ｂ’の基部を覆うようにブラシ基台４’に固定され、髪に熱を与える加熱部５’と、を有する。
【０１０３】
図１２に示すように、ブラシ基台４’は、把持部６に連接し、上下端部を円弧状に湾曲させ、中央を窪ませたブラシ基台本体４１と、ブラシ基台本体４１の窪みを覆うようにブラシ基台本体４１の上下端部に固定される基台カバー部４２と、基台カバー部４２の表側に固定され、多数のブラシ毛４３a’、４３ｂ’を立設させたブラシベース部４３’と、を有する。
【０１０４】
ブラシ基台本体４１および基台カバー部４２は、第１実施例のブラシ基台本体４１および基台カバー部４２の構成と同じであるため、ここでの説明を省略する。
【０１０５】
図１２に示すように、ブラシベース部４３’は、湾曲反射板４２aを覆うように固定され、多数のブラシ毛４３a’、４３ｂ’をブラシ部３’の長手方向（Ｚ軸方向）に立設し、異なる種類のブラシ毛４３a’、４３ｂ’を幅方向（Ｘ軸方向）に複数形成したものである。ブラシベース部４３’は、例えば樹脂材料などからなり、ブラシ毛４３a’、４３ｂ’は、樹脂材料からなる樹脂ブラシと、ナイロン毛ブラシや豚毛ブラシなどを組み合わせたものからなる。
【０１０６】
ブラシベース部４３’に立設された多数のブラシ毛４３a’、４３ｂ’を異なる材料で形成することで、滑らかな感触で髪を梳かすことができる。
【０１０７】
図１２に示すように、加熱部５’は、湾曲反射板４２aを覆うようにブラシベース部４３’（ブラシ基台４’）に隣接され、バッテリー６１からの通電により発熱するものである。加熱部５’は、湾曲反射板４２aを覆うように固定されたシート保持部５１’と、シート保持部５１’に固定され、ブラシ部３’の長手方向（Ｚ軸方向）に延びる複数のリブ状ヒータ５４（ヒータ）と、リブ状ヒータ５４に固定され、リブ状ヒータ５４の発熱温度を検出する温度検出部（不図示）と、を有する。
【０１０８】
シート保持部５１’は、ゴム材料をシート状にしたものであり、ブラシ毛４３a’、４３ｂ’を挿通する多数の挿通孔５１a’が形成されている。リブ状ヒータ５４は、ブラシ部３’の幅方向におけるブラシ毛４３a’、４３ｂ’の間に位置しており、例えば基板にフィルムヒータの導電路を構成したもの、セラミックヒータまたはＰＴＣ（Positive Temperature Coefficient:正温度係数）ヒータなどである。温度検出部は、例えばＮＴＣサーミスタなどの温度上昇に伴う抵抗値の減少を利用して温度を検出するものである。
【０１０９】
本実施例のヘアーアイロンブラシ２’は、リブ状ヒータ５４を表側に固定することで、リブ状ヒータ５４の発熱温度を抑えた状態でも、髪を梳かす際に髪をカールやウェーブさせるのに必要な熱を髪に与えることができ、ヘアーアイロンブラシ２’内に収容されるバッテリー６１を少ない容量として、バッテリー６１をコンパクトにすることができる。
【０１１０】
すなわち、本実施例のヘアーアイロンブラシ２’は、バッテリー６１をコンパクトにすることで、全体の大きさをコンパクトにし、軽量化することができる。
【０１１１】
本実施例のヘアーアイロンブラシ２’におけるリブ状ヒータ５４を、シート保持部５１’の表側に隣接して固定されるものとして説明したが、特にこれに限定されるものではなく、シート保持部５１’の裏面側などに隣接して固定されていれば良い。また、本実施例のヘアーアイロンブラシ２’におけるリブ状ヒータ５４は、シート保持部５１’の内部に固定されているものであっても良い。
【０１１２】
（他の実施例）
第１実施例の制御部６５は、バッテリー６１から外周面状ヒータ５２aおよび中央面状ヒータ５２ｂへの電力の通電を同じように制御するものとして説明したが、特にこれに限られるものではなく、バッテリー６１から外周面状ヒータ５２aおよび中央面状ヒータ５２ｂへの電力の通電を別個独立して制御しても良い。
【０１１３】
具体的には、外周面状ヒータ５２aおよび中央面状ヒータ５２ｂのそれぞれに温度検出部５３を設けるとともに、外周面状ヒータ５２aのみの発熱、中央面状ヒータ５２ｂのみの発熱、および外周面状ヒータ５２aと中央面状ヒータ５２ｂの両方の発熱とを、操作部６４で選択可能に形成することで、制御部６５が、施術者の操作部６４への操作入力に基づいて、外周面状ヒータ５２aおよび中央面状ヒータ５２ｂの少なくともいずれかを施術者の所望の温度に制御するようにしても良い。
【０１１４】
この構成により、施術者は、髪のカールやウェーブに合わせて、加熱部５２の発熱領域を選択することで、シート保持部５１中の必要な領域のみを発熱させることで、バッテリー６１から加熱部５２への通電量をより減らし、バッテリー６１の容量をより少なくすることができる。
【０１１５】
第１実施例の面状ヒータ５２として、外周領域に配索した外周面状ヒータ５２aと中央領域に配索した中央面状ヒータ５２ｂとからなるものとして説明したが、特にこれに限られるものではなく、面状ヒータ５２を幅方向（Ｘ軸方向）に複数分割した領域毎に分けて、複数の面状分割ヒータ（ヒータ）（不図示）を配索するようにしても良い。
【０１１６】
この構成により、制御部６５が、幅方向に並ぶ複数の面状分割ヒータの通電を制御して、幅方向における面状分割ヒータの発熱領域を変更可能に形成することで、髪のカールやウェーブさせるための必要最低限の発熱領域として、バッテリー６１から面状分割ヒータへの通電を必要最低限に抑えることができる。
【０１１７】
また、このように幅方向に分割した複数の面状分割ヒータで構成した場合には、各面状分割ヒータに温度検出部（不図示）を設けても良い。この構成により、各面状分割ヒータの発熱温度も制御することで、より施術者の意図に合ったカールやウェーブを形成することができる。
【０１１８】
第１実施例のヘアーアイロンブラシ２における加熱部５を外周面状ヒータ５２aおよび中央面状ヒータ５２ｂからなるものとして説明したが、これに限られるものではなく、シート保持部５１を複数の領域に分けて配索した複数のヒータにより構成しても良い。
【０１１９】
第１実施例のヘアーアイロンブラシ２において制御部６５がバッテリー６１から加熱部５への通電動作をパルス制御した場合に関して、１ミリ秒間とする１周期あたりのデューティ比を５０％とし、５．８Ａの電流をオンオフさせるものとして説明したが、特にこれに限られるものではなく、任意の時間における任意のデューティ比で任意の電流をオンオフさせるものであれば良い。
【０１２０】
第１実施例のヘアーアイロンブラシ２における加熱部５として、シート保持部５１の裏面側に面状ヒータ５２を一体成型するものとして説明したが、特にこれに限られることはなく、シート保持部５１の裏面側に面状ヒータ５２を固定したものであっても良い。また、本実施例のヘアーアイロンブラシ２におけるリブ状ヒータ５４は、シート保持部５１内に固定、またはシート保持部５１に隣接していれば良い。
【０１２１】
第１実施例のヘアーアイロンブラシ２におけるシート保持部５１として、熱伝導率が低く熱が逃げにくい材料であるゴム材料からなるものとして説明したが、特にこれに限られることはなく、熱を保持可能な材料であれば良い。すなわち、シート保持部５１として、熱の保持が可能な弾性材料、金属材料又はハイブリッド材料（弾性材料と金属材料等の異種材料を組み合わせた材料）などで形成されていても良い。
【０１２２】
第１実施例のヘアーアイロンブラシ２および第２実施例のヘアーアイロンブラシ２’において、加熱部５への通電をバッテリー６１から直接行うものとして説明したが、特にこれに限られず、バッテリー６１と加熱部５との間に蓄電通電部（例えば、コンデンサーなど）（不図示）を位置させて、蓄電通電部を介して、バッテリー６１から加熱部５への通電を行うものとしても良い。
【０１２３】
この際、制御部６５は、バッテリー６１から蓄電通電部への蓄電動作および蓄電通電部から加熱部５への通電動作を別々のタイミングで行っても良い。このように、蓄電通電部への蓄電動作と加熱部５への通電動作を別々に行うことで、加熱部５への通電をより必要なタイミングかつ必要な量で供給することができ、バッテリー６１が消費する電力をより少なくすることができる。
【０１２４】
第１実施例のブラシ毛組体４４および第２実施例のブラシベース部４３’を、異なる種類のブラシ毛４４a、４４ｂ、４３a’、４３ｂ’からなるものとして説明したが、特にこれに限られるものではなく、例えば、樹脂ブラシ、ナイロン毛ブラシ、豚毛ブラシなどのいずれかで統一した、同一材料のブラシ毛としても良い。
【０１２５】
同様に、第１実施例の基台カバー部４２およびブラシベース部４３のブラシ毛４２a、４３a、４３ｂとして、樹脂ブラシとして説明したが、特にこれに限られるものではなく、例えばナイロン毛ブラシや豚毛ブラシなどとしても良い。
【０１２６】
第１実施例のヘアーアイロンブラシ２における温度検出部５３として、面状ヒータ５２に一体成型されているものとして説明したが、特にこれに限られるものではなく、面状ヒータ５２に接触させて、面状ヒータ５２の温度を検出することができるように形成されていても良い。
【０１２７】
第１実施例および第２実施例において、面状ヒータ５２の温度を、温度検出部５３により検出するものとして説明したが、特にこれに限られるものではなく、温度検出部５３などの検出部材（不図示）を用いることなく、例えば、バッテリー６１から加熱部５への通電時間により面状ヒータ５２の温度を予測して検出する構成としても良い。
【０１２８】
第１実施例および第２実施例のヘアーアイロンブラシ２、２’として、把持部６内に収容したバッテリー６１からの通電で加熱部５、５’が発熱するものとして説明したが、特にこれに限られるものではなく、バッテリー６１の代わりに電源ケーブル（不図示）を設け、この電源ケーブルを商用電源のコンセント（不図示）に差し込んで、電源ケーブルから加熱部５、５’へ交流電源を供給して、加熱部５、５’を発熱させる構成としても良い。
【０１２９】
また、第１実施例のブラシ基台４として、把持部６に連接したブラシ基台本体４１と、ブラシ基台本体４１の窪みを覆い、湾曲反射板４２aが固定された基台カバー部４２と、多数のブラシ毛４３a、４３ｂが立設したブラシベース部４３と、異なるブラシ毛４４a、４４ｂが組み合わさったブラシ毛組体４４とする複数の部品からなるものとして説明したが、特にこれに限られるものではなく、ブラシ基台４を１つの部品で構成しても良い。具体的には、把持部６に連接し、円弧状に湾曲したブラシ基台４の表側に、多数のブラシ毛４３a、４３ｂを立設させるとともに、多数のブラシ毛４３a、４３ｂの基部を覆うように湾曲反射板４２aを固定させる構成としても良い。
【０１３０】
さらに、第1実施例および第２実施例のヘアーアイロンブラシ２、２’として、把持部６内に設けた操作部６４は、使用者が意図しない操作を防止する誤操作防止手段（不図示）を設けても良い。例えば、電源がオン状態で施術者が施術中に、不用意に電源がオフにならないようにする、または不用意に操作部６４で設定された設定温度が変更にならないようにするために、設定温度をロックするロック機構（不図示）を設ける構成としても良い。
【０１３１】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【０１３２】
１…カバー付きヘアーアイロンブラシ
２、２’…ヘアーアイロンブラシ
３、３’…ブラシ部
４、４’…ブラシ基台
４１…ブラシ基台本体      ４１a…遮断スイッチ    ４２…基台カバー部      ４２a…湾曲反射板（反射板）      ４２ｂ…ブラシ毛    ４３、４３’…ブラシベース部      ４３a、４３a’…ブラシ毛      ４３ｂ、４３ｂ’…ブラシ毛      ４３ｃ…長孔    ４４…ブラシ毛組体      ４４a…ブラシ毛      ４４ｂ…ブラシ毛    ４５…先球部
５、５’…加熱部
５１、５１’…シート保持部      ５１a、５１a’…挿通孔      ５１ｂ…長孔    ５２…面状ヒータ      ５２a…外周面状ヒータ（ヒータ）      ５２ｂ…中央面状ヒータ（ヒータ）    ５３…温度検出部（温度検出手段）    ５４…リブ状ヒータ（ヒータ）
６…把持部
６１…バッテリー    ６２…収容部      ６２a…蓋部    ６３…表示部    ６４…操作部（温度設定部）    ６５…制御部
７…カバー部    ７１…押圧突起
【図１】
2017006676.tif 000005
【図２】
2017006676.tif 000006
【図３】
2017006676.tif 000007
【図４】
2017006676.tif 000008
【図５】
2017006676.tif 000009
【図６】
2017006676.tif 000010
【図７】
2017006676.tif 000011
【図８】
2017006676.tif 000012
【図９】
2017006676.tif 000013
【図１０】
2017006676.tif 000014
【図１１】
2017006676.tif 000015
【図１２】
2017006676.tif 000016
【図１３】
2017006676.tif 000017
【国際調査報告】
2017006676.tif 000018
2017006676.tif 000019
2017006676.tif 000020
2017006676.tif 000021